(57)【要約】      （修正有）【課題】画像表示装置閲覧者の操作で画像表示装置に写っている人物が所有する携帯電話機の位置情報を簡単な操作で知ることが出来る画像表示装置を提供する。【解決手段】画像表示装置１０が蓄積する画像データと関連付けした電話番号を予め画像・携帯電話番号蓄積部１０９に蓄積した位置情報管理テーブルから検索し、当該携帯電話機に発信して携帯電話機または位置管理サーバから位置情報を取得し、取得した位置情報を画像表示装置１０が表示する画像データに重畳して表示する。【選択図】図２
2012209774.tif 000002
【特許請求の範囲】
【請求項１】
複数の画像を蓄積し所望の画像を表示する画像表示装置であって、
複数の画像を蓄積する画像蓄積手段と、前記画像蓄積手段に蓄積されている複数の画像から所定の画像を選択して表示する画像選択表示手段と、前記画像蓄積手段に蓄積されている複数の画像の各々に対応付けて携帯電話番号に係るデータを登録する携帯電話番号登録手段と、を有し、
予め定められた特定操作が為された場合に、前記携帯番号登録手段を参照して前記画像選択表示手段が表示している画像に対応する携帯電話番号に係るデータを抽出し前記抽出した携帯電話番号に発信して当該携帯電話番号の携帯電話機が備える位置情報通知機能により当該携帯電話機の位置情報を取得し、または所定の位置情報通知機能を有するサービスセンタに発信して当該携帯電話機の位置情報を取得し、前記取得した位置情報を前記画像選択表示手段が表示している画像に重畳して表示することを特徴とする位置情報表示機能を有する画像表示装置。
【発明の詳細な説明】
【技術分野】
【０００１】
本発明は、画像データを表示する画像表示装置において、表示している画像データと関連付けられた携帯電話機の位置情報を表示している画像データと重畳して表示する画像表示装置に関するものである。
【背景技術】
【０００２】
近年のデジタルカメラやカメラ付き携帯電話の普及拡大に伴い、デジタル写真ファイルを利用する機会が若者から高齢者まで増加している。また、少子高齢社会や都市化の進展に伴い、子供や孫の若い世代と離れて暮らす高齢者は珍しくなくなった。そのため、デジタル写真を表示するデジタルフォトフレームを使用し、疎遠になりがちな家族の関係を効果的に保つことを目的としたサービスが提供されている。
【０００３】
例えば、携帯電話やパソコンからインターネットを経由してサーバにアップロードされたデジタル写真ファイルに、携帯電話番号やメールアドレスの情報を付与して送信することによって、デジタルフォトフレームに携帯電話機に係る情報が送信されて、デジタル写真ファイルを送信した者の状態や位置情報を提供する技術がある（特許文献１参照）。
【先行技術文献】
【特許文献】
【０００４】
【特許文献１】特開２００９−１８１２１０号公報
【発明の概要】
【発明が解決しようとする課題】
【０００５】
特許文献１に記載された技術は、携帯電話機から送信された位置情報をデジタルフォトフレームに表示することができるので、出先から写真情報と位置情報を連絡する場合等に便利である。
【０００６】
しかしながら、デジタルフォトフレームを見ている者が、正にデジタルフォトフレームに写っている人物が今どこに居るのか知ることは出来ない。
【０００７】
そこで、本発明の課題は、デジタルフォトフレームを見ている者が、正にデジタルフォトフレームに写っている人物が今どこに居るのかを簡単な操作で知ることが出来るデジタルフォトフレーム等の画像表示装置を提供することにある。
【課題を解決するための手段】
【０００８】
上述した課題を解決するために、本発明は、複数の画像を蓄積し所望の画像を表示する画像表示装置であって、複数の画像を蓄積する画像蓄積手段と、前記画像蓄積手段に蓄積されている複数の画像から所定の画像を選択して表示する画像選択表示手段と、前記画像蓄積手段に蓄積されている複数の画像の各々に対応付けて携帯電話番号に係るデータを登録する携帯電話番号登録手段と、を有し、予め定められた特定操作が為された場合に、前記携帯番号登録手段を参照して前記画像選択表示手段が表示している画像に対応する携帯電話番号に係るデータを抽出し前記抽出した携帯電話番号に発信して当該携帯電話番号の携帯電話機が備える位置情報通知機能により当該携帯電話機の位置情報を取得し、または所定の位置情報通知機能を有するサービスセンタに発信して当該携帯電話機の位置情報を取得し、前記取得した位置情報を前記画像選択表示手段が表示している画像に重畳して表示することを特徴とする。
【発明の効果】
【０００９】
本発明によれば、正にデジタルフォトフレームに写っている人物が今どこに居るのかを、簡単な操作で知ることが出来るデジタルフォトフレーム等の画像表示装置を提供することができる。また、デジタルフォトフレームに写っている者とその携帯電話番号を対応付けて登録しておくので、位置を知りたい目的の相手を写真で探すことが出来、相手の携帯番号の検索やその位置情報の取得操作が不要で簡便であるという利点がある。
【発明を実施するための形態】
【００１０】
以下、添付図面を参照しながら、本発明の実施形態を詳細に説明する。なお、図面の説明において同一又は同等の要素には同一の符号を付し、重複する説明を省略する。
【００１１】
まず、図１を用いて、実施形態に関わる全体構成を説明する。図１に示す全体構成は、画像表示装置１０と通信網２０と携帯電話機３０とサービスセンタ４０で構成され、サービスセンタ４０には位置管理サーバ４１がある。なお、図１では、説明を簡単にするために画像表示装置１０と携帯電話機３０を各１つ示しているが、これらの機器の台数は複数であってもよい。
【００１２】
画像表示装置１０は、通信網２０を介して携帯電話機３０に発信することができて、サービスセンタ４０内の位置管理サーバ４１から位置情報を受信することができる装置である。
【００１３】
通信網２０は、例えばインターネット網や移動体通信ネットワーク等である。携帯電話機３０は、通信網２０を介して、画像表示装置１０と通信する。
【００１４】
サービスセンタ４０は、通信網２０を介して、画像表示装置１０と携帯電話機３０と通信し、携帯電話機３０が存在する位置に係る情報を提供するサービスセンタである。位置管理サーバ４１は、携帯電話機３０の現在位置を示す位置情報を記憶するコンピュータである。位置管理サーバ４１は、通信網２０に接続する基地局（図示せず）から携帯電話機３０に送信される制御信号に基づいて通信網２０内に登録された位置情報を取得し、取得した位置情報をハードディスクなどの記憶手段に記憶する。なお、位置管理サーバ４１による位置情報の取得方法はこれに限定されない。例えば、位置管理サーバ４１はＧＰＳ（Global Positioning System、全地球測位システム）機能を有する携帯電話機３０から緯度経度情報を受信し、受信した情報に基づいて位置情報を記憶してもよい。
【００１５】
次に、図２を用いて、図１に示す画像表示装置１０の構成を示す。図２は、画像表示装置１０の構成を示すブロック図である。画像表示装置１０は、制御部１０１、通信制御部１０２、操作部１０３、位置情報取得部１０４、特定操作検知部１０５、画像入力部１０６、画像表示制御部１０７、画像合成部１０８、画像・携帯電話番号蓄積部１０９、表示部１１０を備える。
【００１６】
画像入力部１０６は、外部機器（図示せず）から画像データを入力する手段であり、例えば、ＵＳＢメモリやＳＤカードメモリのスロット（図示せず）から外部機器が撮影した画像データを入力する。
【００１７】
制御部１０１は、画像入力部１０６が入力した外部機器からの画像データを画像表示制御部１０７，画像合成部１０８を介して入力した画像データを表示部１１０に表示させる、または、画像・携帯電話番号蓄積部１０９に蓄積する。また、制御部１０１は、ボタンやタッチパネルで構成された操作部１０３からの操作コマンドを受付ける。
【００１８】
画像表示制御部１０７は、制御部１０１からの指示に応じて、画像入力部１０６からの画像データまたは画像・携帯電話番号蓄積部１０９に蓄積されたいずれかの画像データを選択し、画像合成部１０８を介して表示部１１０に表示させる手段である。
【００１９】
特定操作検知部１０５は、操作部１０３のキー操作を監視し、予め定められた特定操作を検知する手段であり、位置情報の取得を要求する旨の特定操作を検知すると、位置情報取得部１０４と画像表示制御部１０７に位置情報の取得を要求されたことを通知する。
【００２０】
画像・携帯電話番号蓄積部１０９は、蓄積している画像データと関連付けて携帯電話番号を予め蓄積する手段である。例えば、画像データに写っている人物に対応する携帯電話番号を操作部１０３から入力すればよい。或いは、通信網２０から写真付きの電子メールを受信した場合に、その写真を画像・携帯電話番号蓄積部１０９に蓄積すると同時に、その送信元電子メールアドレスに対応する携帯電話番号を自動的に登録するようにしてもよい。
【００２１】
通信制御部１０２は、通信網２０を介して、携帯電話機３０やサービスセンタ４０と通信する手段であり、携帯電話機３０の位置情報を取得する場合、画像表示制御部１０７が画像・携帯電話番号蓄積部１０９抽出した携帯電話機３０の携帯番号を位置情報取得部１０４から取得して当該携帯番号で発信し、携帯電話機３０に位置情報の通知を要求する。そして、位置情報を携帯電話機３０から受信すると、位置情報取得部１０４に位置情報を通知する。また、携帯電話機３０から位置情報を取得できない場合や携帯電話機３０が通信エリア圏外で通信不可の場合、サービスセンタ４０内の位置管理サーバ４１に発信して、位置管理サーバ４１から位置情報を受信して、取得した位置情報を位置情報取得部１０４に通知する。
【００２２】
位置情報取得部１０４は、位置情報取得要求をする手段であり、特定操作検知部１０５により起動されると、画像表示制御部１０７を介して画像データと対応する携帯電話番号を取得し、通信制御部１０２，通信網２０を介して当該の携帯電話機３０に位置情報取得要求をする。通信制御部１０２から位置情報を取得した位置情報取得部１０４は、画像表示制御部１０７に表示中の画像データと取得した位置情報を合成して表示するよう指示する。そして、画像合成部１０８は、位置情報と画像データを合成して表示部１１０に表示する。位置情報を位置情報取得部１０４から取得した画像表示制御部１０７は、画像・携帯電話番号蓄積部１０９に蓄積する後述の位置情報管理テーブルを更新する。
【００２３】
次に、画像表示装置１０の動作例を図３のフローチャートを参照して説明する。まず、画像表示装置１０は、前記画像・携帯電話番号蓄積部１０９に蓄積した画像を一定の時間の間隔で画像を前記表示部１１０に表示する（Ｓ１００）。前記操作部１０３で受け付けた操作が特定の操作でない場合（Ｓ１０１、ＮＯ）、前記画像・携帯電話番号蓄積部１０９に蓄積した画像で次に表示する画像を表示する（Ｓ１００）。
【００２４】
前記操作部１０３で受け付けた操作が特定の操作の場合（Ｓ１０１、ＹＥＳ）、前記特定操作検知部１０５が特定の操作を検知して、前記特定操作検知部１０５が前記画像表示制御部１０７に特定の操作を通知し、前記画像表示制御部１０７は、一定の時間の間隔で画像を表示することを禁止する（Ｓ１０２）。
【００２５】
前記操作部１０３で受け付けた特定の操作が位置情報取得要求の場合（Ｓ１０３、ＹＥＳ）、前記画像表示制御部１０７が前記画像・携帯電話番号蓄積部１０９に蓄積した後述の位置情報管理テーブルから表示している画像に対応する携帯電話番号を検索する（Ｓ１０７）。
【００２６】
検索した結果、表示している画像に対応する携帯電話番号がない場合（Ｓ１０８、ＮＯ）、画像表示装置１０は、前記表示部１１０に位置情報表示不可を表示する（Ｓ１０９）。検索した結果、表示している画像に対応する携帯電話番号が有る場合（Ｓ１０８、ＹＥＳ）、前記画像表示制御部１０７は、前記位置情報取得部１０４に携帯電話番号を通知し、前記位置情報取得部１０４は、位置情報通知要求を当該の携帯電話機３０に前記通信制御部１０２を介して送信する（Ｓ１１０）。
【００２７】
前記通信制御部１０２で携帯電話機３０の位置情報を受信した場合（Ｓ１１１、ＹＥＳ）、前記位置情報取得部１０４は、取得した位置情報を前記画像表示制御部１０７に通知して、前記画像・携帯電話番号蓄積部１０９に蓄積する位置情報管理テーブルを更新し（Ｓ１１４）、前記位置情報取得部１０４は、取得した位置情報を前記画像合成部に通知して、表示中の画像データに位置情報を重畳して表示する（Ｓ１１５）。
【００２８】
画像表示装置１０は、前記通信制御部１０２で携帯電話機３０の位置情報を受信できない場合（Ｓ１１１、ＮＯ）、前記通信制御部１０２を介して位置管理サーバ４１に位置情報通知要求を送信する（Ｓ１１２）。
【００２９】
前記通信制御部１０２で位置管理サーバ４１から携帯電話機３０の位置情報を受信した場合（Ｓ１１３、ＹＥＳ）、前記位置情報取得部１０４は、取得した位置情報を前記画像表示制御部１０７に通知して、前記画像・携帯電話番号蓄積部１０９に蓄積する位置情報管理テーブルの情報を更新して（Ｓ１１４）、前記位置情報取得部１０４は、取得した位置情報を前記画像合成部に通知して、表示中の画像データに位置情報を重畳して表示する（Ｓ１１５）。
【００３０】
前記通信制御部１０２で位置管理サーバ４１から携帯電話機３０の位置情報を受信しない場合（Ｓ１１３、ＮＯ）、前記表示部１１０に位置情報表示不可を表示する（Ｓ１０９）。
【００３１】
前記操作部１０３で受け付けた特定の操作が位置情報取得要求でない場合で（Ｓ１０３、ＮＯ）、位置情報の表示を停止する要求の場合（Ｓ１０４，ＹＥＳ）、前記画像表示制御部１０７は、前記画像合成部に指示して、表示中の画像データに重畳して表示する位置情報を停止して（Ｓ１０５）、前記画像表示制御部１０７は、一定の時間の間隔で画像を表示することの禁止を解除して（Ｓ１０６）、前記画像・携帯電話番号蓄積部１０９に蓄積した画像で次に表示する画像を表示する（Ｓ１００）。
【００３２】
前記操作部１０３で受け付けた特定の操作が位置情報取得要求でない場合で（Ｓ１０３、ＮＯ）、位置情報の表示を停止する要求でない場合（Ｓ１０４，ＮＯ）、前記画像表示制御部１０７は、一定の時間の間隔で画像を表示することの禁止を解除して（Ｓ１０６）、前記画像・携帯電話番号蓄積部１０９に蓄積した画像で次に表示する画像を表示する（Ｓ１００）。
【００３３】
次に、画像と位置情報を表示する場合の例を図４と図５を用いて説明する。図４は、前記画像・携帯電話番号蓄積部１０９に蓄積する位置情報管理テーブル例である。画像表示装置１０は、位置情報を取得する機能を要求された場合に使用するテーブルで、前記操作部１０３の操作で前記画像・携帯電話番号蓄積部１０９に登録する。
【００３４】
管理番号１０９１は、テーブルの管理番号を示す。画像ファイル名１０９２は、前記画像表示制御部１０７が携帯電話番号を検索する画像データを示す。電話番号１０９３は、画像データと関連する携帯電話番号を示す。氏名１０９４は、画像データと携帯電話番号と関連する者の氏名を示す。位置情報取得時刻１０９５は、位置情報を取得した場合のみ表示する位置情報を取得した時刻を示す。位置情報１０９６は、位置情報を取得した場合のみ表示する位置情報を示す。位置情報簡易表示設定１０９７は、前記位置情報１０９６で取得した住所と関連した場所を示す。位置情報管理テーブルに登録がない場合は、未登録または−（ハイフン）を表示する。
【００３５】
図５は、前記表示部１１０に位置情報と画像データを重畳して表示する場合の表示例である。図５の（ａ）の１１０１は、前記画像・携帯電話番号蓄積部１０９が蓄積する画像ファイル名が画像Ａの表示例である。図５の（ｂ）の１１０３は、前記画像・携帯電話番号蓄積部１０９が蓄積する画像ファイル名が画像Ｂの表示例である。図５の（ｃ）の１１０５は、前記画像・携帯電話番号蓄積部１０９が蓄積する画像ファイル名が画像Ｃの表示例である。
【００３６】
１１０２は、画像Ａの位置情報である。１１０４は、画像Ｂの位置情報である。１１０６は、画像Ｃの位置情報である。
【００３７】
表示例１１０１は、前記画像表示制御部１０７が画像Ａの携帯電話番号を検索した結果、電話番号０９０−０１２３−１１１１があり、検索した電話番号に発信して、画像表示装置１０が位置情報取得要求し、位置情報要求を受信した携帯電話機から位置情報を取得し、前記画像・携帯電話番号蓄積部１０９が蓄積管理する位置情報管理テーブルの位置情報１０９６を更新し、取得した位置情報が、予め登録した位置情報簡易表示設定１０９７の「学校；東京都新宿区１１−１１１」と一致して、表示例１１０１内の１１０２に「学校」と表示することができる表示例である。
【００３８】
表示例１１０３は、前記画像表示制御部１０７が画像Ｂの携帯電話番号を検索した結果、電話番号０９０−０１２３−２２２２があり、検索した電話番号に発信して、画像表示装置１０が位置情報取得要求し、位置情報要求を受信した携帯電話機から位置情報を取得し、前記画像・携帯電話番号蓄積部１０９が蓄積管理する位置情報管理テーブルの位置情報１０９６を更新し、取得した位置情報が、位置情報簡易表示設定１０９７に登録されていないため、表示例１１０３内の１１０４に取得した位置情報；東京都新宿区２２−２２２と取得した住所を表示することができる表示例である。
【００３９】
表示例１１０５は、前記画像表示制御部１０７が画像Ｃの携帯電話番号を検索した結果、位置情報管理テーブルに登録がないため、位置情報を取得せず、表示例１１０５内の１１０６に未登録と表示することができる表示例である。
【図面の簡単な説明】
【００４０】
【図１】本発明装置の実施形態に係るシステムの全体構成図である。
【図２】本発明装置の実施形態に係る画像表示装置１０の機能ブロック図である。
【図３】本発明装置の実施形態に係る画像表示装置１０のフローチャート図である。
【図４】本発明装置の実施形態に係る位置情報管理テーブルの例である。
【図５】本発明装置の実施形態に係る位置情報と画像データの表示例である。
【符号の説明】
【００４１】
１０・・・発明による画像表示装置
２０・・・通信網
３０・・・携帯電話機
４０・・・サービスセンタ
４１・・・位置管理サーバ
１０１・・・制御部
１０２・・・通信制御部 
１０３・・・操作部  １０４・・・位置情報取得部
１０５・・・特定操作検知部
１０６・・・画像入力部
１０７・・・画像表示制御部
１０８・・・画像合成部
１０９・・・画像・携帯番号蓄積部
１１０・・・表示部
【図１】
2012209774.tif 000003
【図２】
2012209774.tif 000004
【図３】
2012209774.tif 000005
【図４】
2012209774.tif 000006
【図５】
2012209774.tif 000007